(57)【特許請求の範囲】
【請求項１】
ディジタル映像出力端子およびアナログ映像出力端子を備える映像信号処理装置において、
前記ディジタル映像出力端子に接続されたディジタルモニタのスペックを示すスペック情報を取得するスペック情報取得手段と、
前記アナログ映像出力端子に接続されたアナログモニタのスペックをユーザに選択させるスペック選択手段と、
取得された前記ディジタルモニタのスペック情報、または選択された前記アナログモニタのスペックのどちらを優先させるかをユーザに設定させる設定手段と、
前記ディジタル映像出力端子または前記アナログ映像出力端子の少なくとも一方から出力するための映像信号の解像度を決定する決定手段と、
決定された解像度の映像信号を、前記ディジタル映像出力端子または前記アナログ映像出力端子の少なくとも一方から出力させる出力制御手段と
を含み、
前記ディジタルモニタのスペック情報を優先させるように設定された場合、
前記決定手段は、映像信号の解像度を、取得された前記ディジタルモニタのスペック情報が示す最高の解像度に決定し、
前記出力制御手段は、
決定された解像度の映像信号を、前記ディジタル映像出力端子から出力させるとともに、
選択された前記アナログモニタのスペックが、決定された解像度の映像信号に対応可能であるときのみ、決定された解像度の映像信号を、前記アナログ映像出力端子から出力させ、
前記アナログモニタのスペックを優先させるように設定された場合、
前記決定手段は、映像信号の解像度を、選択された前記アナログモニタのスペックが示す最高の解像度に決定し、
前記出力制御手段は、
決定された解像度の映像信号を、前記アナログ映像出力端子から出力させるとともに、
取得されたスペック情報に基づいて前記ディジタルモニタが、決定された解像度の映像信号に対応可能であると判断したときのみ、決定された解像度の映像信号を、前記ディジタル映像出力端子から出力させる
映像信号処理装置。
【請求項２】
取得された前記スペック情報が示す、前記ディジタルモニタが対応可能な複数の解像度をユーザに提示して選択させる解像度選択手段をさらに含み、
前記ディジタルモニタのスペック情報を優先させるように設定された場合、
前記決定手段は、映像信号の解像度を、取得された前記スペック情報が示す、前記ディジタルモニタが対応可能な複数の解像度のうち、ユーザに選択された解像度に決定する
請求項１に記載の映像信号処理装置。
【請求項３】
出力すべき前記映像信号として、テレビジョン放送信号を受信する受信手段を
さらに含む請求項１に記載の映像信号処理装置。
【請求項４】
受信された前記テレビジョン放送信号を記録媒体に記録し、また再生する記録再生手段を
さらに含む請求項３に記載の映像信号処理装置。
【請求項５】
ディジタル映像出力端子およびアナログ映像出力端子を備える映像信号処理装置の映像信号処理方法において、
前記ディジタル映像出力端子に接続されたディジタルモニタのスペックを示すスペック情報を取得するスペック情報取得ステップと、
前記アナログ映像出力端子に接続されたアナログモニタのスペックをユーザに選択させるスペック選択ステップと、
取得された前記ディジタルモニタのスペック情報、または選択された前記アナログモニタのスペックのどちらを優先させるかをユーザに設定させる設定ステップと、
前記ディジタル映像出力端子または前記アナログ映像出力端子の少なくとも一方から出力するための映像信号の解像度を決定する決定ステップと、
決定された解像度の映像信号を、前記ディジタル映像出力端子または前記アナログ映像出力端子の少なくとも一方から出力させる出力制御ステップと
を含み、
前記ディジタルモニタのスペック情報を優先させるように設定された場合、
前記決定ステップは、映像信号の解像度を、取得された前記ディジタルモニタのスペック情報が示す最高の解像度に決定し、
前記出力制御ステップは、
決定された解像度の映像信号を、前記ディジタル映像出力端子から出力させるとともに、
選択された前記アナログモニタのスペックが、決定された解像度の映像信号に対応可能であるときのみ、決定された解像度の映像信号を、前記アナログ映像出力端子から出力させ、
前記アナログモニタのスペックを優先させるように設定された場合、
前記決定ステップは、映像信号の解像度を、選択された前記アナログモニタのスペックが示す最高の解像度に決定し、
前記出力制御ステップは、
決定された解像度の映像信号を、前記アナログ映像出力端子から出力させるとともに、
取得されたスペック情報に基づいて前記ディジタルモニタが、決定された解像度の映像信号に対応可能であると判断したときのみ、決定された解像度の映像信号を、前記ディジタル映像出力端子から出力させる
映像信号処理方法。
【請求項６】
ディジタル映像出力端子およびアナログ映像出力端子を備える映像信号処理装置の制御用のプログラムであって、
前記ディジタル映像出力端子に接続されたディジタルモニタのスペックを示すスペック情報を取得するスペック情報取得ステップと、
前記アナログ映像出力端子に接続されたアナログモニタのスペックをユーザに選択させるスペック選択ステップと、
取得された前記ディジタルモニタのスペック情報、または選択された前記アナログモニタのスペックのどちらを優先させるかをユーザに設定させる設定ステップと、
前記ディジタル映像出力端子または前記アナログ映像出力端子の少なくとも一方から出力するための映像信号の解像度を決定する決定ステップと、
決定された解像度の映像信号を、前記ディジタル映像出力端子または前記アナログ映像出力端子の少なくとも一方から出力させる出力制御ステップと
を含み、
前記ディジタルモニタのスペック情報を優先させるように設定された場合、
前記決定ステップは、映像信号の解像度を、取得された前記ディジタルモニタのスペック情報が示す最高の解像度に決定し、
前記出力制御ステップは、
決定された解像度の映像信号を、前記ディジタル映像出力端子から出力させるとともに、
選択された前記アナログモニタのスペックが、決定された解像度の映像信号に対応可能であるときのみ、決定された解像度の映像信号を、前記アナログ映像出力端子から出力させ、
前記アナログモニタのスペックを優先させるように設定された場合、
前記決定ステップは、映像信号の解像度を、選択された前記アナログモニタのスペックが示す最高の解像度に決定し、
前記出力制御ステップは、
決定された解像度の映像信号を、前記アナログ映像出力端子から出力させるとともに、
取得されたスペック情報に基づいて前記ディジタルモニタが、決定された解像度の映像信号に対応可能であると判断したときのみ、決定された解像度の映像信号を、前記ディジタル映像出力端子から出力させる
処理を映像信号処理装置のコンピュータに実行させるプログラム。
【発明の詳細な説明】
【技術分野】
【０００１】
本発明は、映像信号処理装置および方法、並びにプログラムに関し、特に、ディジタル映像出力端子およびアナログ映像出力端子のそれぞれにモニタを接続している場合において、出力すべき映像信号の解像度を統一するようにした映像信号処理装置および方法、並びにプログラムに関する。
【背景技術】
【０００２】
テレビジョン放送を受信するセットトップボックス、DVD(Digital Versatile Disc)に記録されているコンテンツを再生するDVDプレーヤ、テレビジョン番組を録画して再生するDVDレコーダやHDD(Hard Disc Recorder)レコーダ等（以下、これらの機器を映像出力装置と称する）においては、ビデオ信号を出力するための端子として、コンポジット映像端子、Ｓ（セパレート）映像端子、コンポーネント映像端子、Ｄ映像端子等が設けられている。これらはいずれもビデオ信号をアナログ信号として出力しているので、以下、アナログ映像出力端子と称する。
【０００３】
一方、上述したアナログ映像出力端子とは異なり、ビデオ信号をディジタル信号として出力するHDMI(High Definition Multimedia Interface)端子を備える映像出力装置も存在する。HDMI端子の長所としては、アナログ映像出力端子がビデオ信号のみを出力することに対して、ビデオ信号に加えて音声信号も出力できること、出力すべきビデオ信号が元々ディジタル信号であるならばアナログ信号に変換せずに出力できるので画質の劣化が少ないこと、接続先の機器（例えば、テレビジョン受像機）のスペック情報（モニタの解像度やアスペクト比等）を取得できることなどを挙げることができる。なお、HDMI端子については、例えば非特許文献１にその詳細が記載されている。
【０００４】
【非特許文献１】EIA/CEA-861B  DRAFT  020328
【発明の開示】
【発明が解決しようとする課題】
【０００５】
ところで、既存の映像出力装置にはアナログ映像出力端子とHDMI端子の両方を備え、それぞれにモニタ（テレビジョン受像機等）を接続可能なものが存在する。当該映像出力装置において、アナログ映像出力端子とHDMI端子のそれぞれにモニタを接続した場合、それぞれの出力端子から接続先のスペックに合わせたビデオ信号をそれぞれの出力端子から出力することが望ましい。
【０００６】
しかしながら、アナログ映像出力端子に接続したモニタとHDMI端子に接続したモニタのスペックが異なる場合、出力すべきビデオ信号を両モニタのスペックにそれぞれ対応させるように解像度等の変換処理を２回実行することは映像出力装置にとって負荷が大きいので、両モニタのいずれか一方または共通するスペックに対応して解像度等の変換処理を１回だけ実行するようにしている。ここで問題となるのは、この変換処理をどのスペックに合わせるかということである。
【０００７】
本発明はこのような状況に鑑みてなされたものであり、アナログ映像出力端子とHDMI端子の両方から共通のスペックでビデオ信号を出力する場合のスペックを決定できるようにするものである。
【課題を解決するための手段】
【０００８】
本発明の映像信号処理装置は、ディジタル映像出力端子に接続されたディジタルモニタのスペックを示すスペック情報を取得するスペック情報取得手段と、アナログ映像出力端子に接続されたアナログモニタのスペックをユーザに選択させるスペック選択手段と、取得されたディジタルモニタのスペック情報、または選択されたアナログモニタのスペックのどちらを優先させるかをユーザに設定させる設定手段と、ディジタル映像出力端子またはアナログ映像出力端子の少なくとも一方から出力するための映像信号の解像度を決定する決定手段と、決定された解像度の映像信号を、ディジタル映像出力端子またはアナログ映像出力端子の少なくとも一方から出力させる出力制御手段とを含み、ディジタルモニタのスペック情報を優先させるように設定された場合、決定手段は、映像信号の解像度を、取得されたディジタルモニタのスペック情報が示す最高の解像度に決定し、出力制御手段は、決定された解像度の映像信号を、ディジタル映像出力端子から出力させるとともに、選択されたアナログモニタのスペックが、決定された解像度の映像信号に対応可能であるときのみ、決定された解像度の映像信号を、アナログ映像出力端子から出力させ、アナログモニタのスペックを優先させるように設定された場合、決定手段は、映像信号の解像度を、選択されたアナログモニタのスペックが示す最高の解像度に決定し、出力制御手段は、決定された解像度の映像信号を、アナログ映像出力端子から出力させるとともに、取得されたスペック情報に基づいてディジタルモニタが、決定された解像度の映像信号に対応可能であると判断したときのみ、決定された解像度の映像信号を、ディジタル映像出力端子から出力させる。
【０００９】
本発明の映像信号処理装置は、取得されたスペック情報が示す、ディジタルモニタが対応可能な複数の解像度をユーザに提示して選択させる解像度選択手段をさらに含むことができ、ディジタルモニタのスペック情報を優先させるように設定された場合、前記決定手段は、映像信号の解像度を、取得されたスペック情報が示す、ディジタルモニタが対応可能な複数の解像度のうち、ユーザに選択された解像度に決定するようにすることができる。
【００１０】
本発明の映像信号処理装置は、出力すべき前記映像信号として、テレビジョン放送信号を受信する受信手段をさらに含むことができる。
【００１１】
本発明の映像信号処理装置は、受信された前記テレビジョン放送信号を記録媒体に記録し、また再生する記録再生手段をさらに含むことができる。
【００１２】
本発明の映像信号処理方法は、ディジタル映像出力端子に接続されたディジタルモニタのスペックを示すスペック情報を取得するスペック情報取得ステップと、アナログ映像出力端子に接続されたアナログモニタのスペックをユーザに選択させるスペック選択ステップと、取得されたディジタルモニタのスペック情報、または選択されたアナログモニタのスペックのどちらを優先させるかをユーザに設定させる設定ステップと、ディジタル映像出力端子またはアナログ映像出力端子の少なくとも一方から出力するための映像信号の解像度を決定する決定ステップと、決定された解像度の映像信号を、ディジタル映像出力端子またはアナログ映像出力端子の少なくとも一方から出力させる出力制御ステップとを含み、ディジタルモニタのスペック情報を優先させるように設定された場合、決定ステップは、映像信号の解像度を、取得されたディジタルモニタのスペック情報が示す最高の解像度に決定し、出力制御ステップは、決定された解像度の映像信号を、ディジタル映像出力端子から出力させるとともに、選択されたアナログモニタのスペックが、決定された解像度の映像信号に対応可能であるときのみ、決定された解像度の映像信号を、アナログ映像出力端子から出力させ、アナログモニタのスペックを優先させるように設定された場合、決定ステップは、映像信号の解像度を、選択されたアナログモニタのスペックが示す最高の解像度に決定し、出力制御ステップは、決定された解像度の映像信号を、アナログ映像出力端子から出力させるとともに、取得されたスペック情報に基づいてディジタルモニタが、決定された解像度の映像信号に対応可能であると判断したときのみ、決定された解像度の映像信号を、ディジタル映像出力端子から出力させる。
【００１３】
本発明のプログラムは、ディジタル映像出力端子に接続されたディジタルモニタのスペックを示すスペック情報を取得するスペック情報取得ステップと、アナログ映像出力端子に接続されたアナログモニタのスペックをユーザに選択させるスペック選択ステップと、取得されたディジタルモニタのスペック情報、または選択されたアナログモニタのスペックのどちらを優先させるかをユーザに設定させる設定ステップと、ディジタル映像出力端子またはアナログ映像出力端子の少なくとも一方から出力するための映像信号の解像度を決定する決定ステップと、決定された解像度の映像信号を、ディジタル映像出力端子またはアナログ映像出力端子の少なくとも一方から出力させる出力制御ステップとを含み、ディジタルモニタのスペック情報を優先させるように設定された場合、決定ステップは、映像信号の解像度を、取得されたディジタルモニタのスペック情報が示す最高の解像度に決定し、出力制御ステップは、決定された解像度の映像信号を、ディジタル映像出力端子から出力させるとともに、選択されたアナログモニタのスペックが、決定された解像度の映像信号に対応可能であるときのみ、決定された解像度の映像信号を、アナログ映像出力端子から出力させ、アナログモニタのスペックを優先させるように設定された場合、決定ステップは、映像信号の解像度を、選択されたアナログモニタのスペックが示す最高の解像度に決定し、出力制御ステップは、決定された解像度の映像信号を、アナログ映像出力端子から出力させるとともに、取得されたスペック情報に基づいてディジタルモニタが、決定された解像度の映像信号に対応可能であると判断したときのみ、決定された解像度の映像信号を、ディジタル映像出力端子から出力させる処理を映像信号処理装置のコンピュータに実行させる。
【００１４】
本発明においては、ディジタルモニタのスペック情報を優先させるように設定された場合、映像信号の解像度が、取得されたディジタルモニタのスペック情報が示す最高の解像度に決定され、決定された解像度の映像信号が、ディジタル映像出力端子から出力されるとともに、選択されたアナログモニタのスペックが、決定された解像度の映像信号に対応可能であるときのみ、決定された解像度の映像信号が、アナログ映像出力端子から出力される。アナログモニタのスペックを優先させるように設定された場合、映像信号の解像度が、選択されたアナログモニタのスペックが示す最高の解像度に決定され、決定された解像度の映像信号が、アナログ映像出力端子から出力されるとともに、取得されたスペック情報に基づいてディジタルモニタが、決定された解像度の映像信号に対応可能であると判断したときのみ、決定された解像度の映像信号が、ディジタル映像出力端子から出力される。
【発明を実施するための最良の形態】
【００２３】
以下、本発明を適用した具体的な実施の形態について、図面を参照しながら詳細に説明する。
【００２４】
図１は、本発明の一実施の形態である記録再生装置の構成例を示している。この記録再生装置１は、受信したテレビジョン番組や他の電子機器（例えば、ビデオカメラ等）から入力されるビデオ信号およびオーディオ信号を記録メディア１６に記録し、記録メディア１６に記録されているビデオ信号およびオーディオ信号を再生してテレビジョン受像機等のモニタに出力するものである。
【００２５】
記録再生装置１において、チューナ１１−１乃至１１−ｎは、それぞれ地上アナログ放送信号、地上ディジタル放送信号、CATV放送信号、ＢＳアナログ放送信号、ＢＳディジタル放送信号、ディジタルＣＳ放送信号等に対応しており、各放送信号から抽出したビデオ信号、オーディオ信号および属性データ等をスイッチ１３に出力する。外部入力部１２は、他の電子機器（例えば、ビデオカメラ等）から入力されるビデオ信号およびオーディオ信号をスイッチ１３に出力する。以下、チューナ１１−１乃至１１−ｎ、および外部入力部１２からスイッチ１３に入力されるビデオ信号にのみ着目する。
【００２６】
スイッチ１３は、ユーザからの操作に従い、チューナ１１−１乃至１１−ｎおよび外部入力部１２から入力されるビデオ信号のうちの１つをCODEC１４に出力する。また、スイッチ１３は、CODEC１４への出力と同時に、任意のビデオ信号を画枠変換部１７に出力することができる。
【００２７】
CODEC１４は、スイッチ１３から入力されたビデオ信号を所定の方式（例えば、MPEG２方式）を採用してエンコードし、得られる符号化データをドライブ１５に出力する。また、CODEC１４はドライブ１５によって記録メディア１６から読み出された符号化データをデコードし、得られるビデオ信号を画枠変換部１７に出力する。ドライブ１５は、CODEC１４から入力される符号化データを記録メディア１６に記録する。また、ドライブ１５は、記録メディア１６に記録されている符号化データを読み出してCODEC１４に出力する。記録メディア１６は、例えば、光ディスク、光磁気ディスク、磁気ディスク、半導体メモリ等から構成され、ドライブ１５に対して着脱可能とされている。
【００２８】
画枠変換部１７は、モニタ情報取得部２０から入力されるHDMI I/F１９に接続されたHDMI対応モニタ（HDMI対応テレビジョン受像機２等）のスペック（表示可能な解像度、アスペクト比等）、解像度設定部２２の設定状態、およびD1/2/3/4切換ボタン２３の設定状態を対応表１８に照らし合わせて解像度を決定し、スイッチ１３から入力されるビデオ信号またはCODEC１４から入力されるビデオ信号を、決定した解像度に変換して、HDMI I/F１９およびアナログ系I/F２１に出力する。
【００２９】
HDMI端子を内蔵するHDMI I/F１９は、画枠変換部１７によって解像度が変換されたビデオ信号をディジタル信号として、接続されたHDMI対応モニタ（HDMI対応テレビジョン受像機２等）に出力する。アナログ端子を内蔵するアナログ系I/F２１は、画枠変換部１７によって解像度が変換されたビデオ信号をアナログ信号として、接続されたHDMI非対応モニタ（テレビジョン受像機３等）に出力する。
【００３０】
モニタ情報取得部２０は、HDMI I/F１９に接続されているモニタのスペックを取得して画枠変換部１７に出力する。
【００３１】
解像度設定部２２は、ユーザからの所定の操作に対応し、モニタ（HDMI対応テレビジョン受像機２および（または）HDMI非対応テレビジョン受像機３）に出力映像解像度設定画面を表示させ、HDMI I/F１９に接続されているモニタの解像度を優先するか、またはD1/2/3/4切換ボタン２３の設定を優先するかをユーザに選択させる。なお、この設定は、通常、記録再生装置１とモニタを接続したときに一度実行すればよい。
【００３２】
図２は、出力映像解像度設定画面の表示例を示している。この出力映像解像度設定画面４１にはチェックボックス４２および４３が設けられている。図２においてはチェックボックス４２が選択されている。ユーザはチェックボックス４２を選択することによって、HDMI I/F１９に接続されているモニタの解像度を優先させる（以下、HDMI解像度優先と記述する）ように設定することができる。また、ユーザはチェックボックス４３を選択することによって、アナログ系I/F２１に接続されているモニタの解像度を優先させる（以下、D1/2/3/4設定優先と記述する）ように設定することができる。
【００３３】
また解像度設定部２２は、ユーザからの所定の操作に対応し、モニタ（HDMI対応テレビジョン受像機２および（または）HDMI非対応テレビジョン受像機３）にHDMI解像度設定画面を表示させ、HDMI I/F１９から出力するビデオ信号の解像度を、HDMI I/F１９に接続されているモニタが表示可能な最大の解像度にするか、または任意の解像度（５２５ｉ（４８０ｉ）、５２５ｐ（４８０ｐ）、１１２５ｉ（１０８０ｉ）、あるいは７５０ｐ（７２０ｐ））にするかをユーザに選択させる。
【００３４】
図３は、HDMI解像度設定画面の表示例を示している。このHDMI解像度設定画面５１にはチェックボックス５２乃至５６が設けられている。ただし、実際にはチェックボックス５２乃至５６のうち、HDMI I/F１９に接続されているモニタの表示可能な解像度に対応するものだけが表示される。図３においてはチェックボックス５２が選択されている。ユーザはチェックボックス５２を選択することによって、HDMI I/F１９から出力するビデオ信号の解像度を、HDMI I/F１９に接続されているモニタが表示可能な最大の解像度に設定する（以下、自動設定と記述する）ことができる。また、ユーザはチェックボックス５３乃至５６を選択することによって、HDMI I/F１９から出力するビデオ信号の解像度を任意に設定することができる。
【００３５】
なお、出力映像解像度設定画面４１においてHDMI解像度優先に設定している場合には、HDMI解像度設定画面５１において、チェックボックス５２を選択して自動設定に設定するようにする。
【００３６】
図１に戻る。D1/2/3/4切換ボタン２３は、記録再生装置１の筐体外壁面等に設けられており、アナログ系I/F２１に内蔵されたＤ端子に接続されるモニタ（テレビジョン受像機３等）のスペックに合わせてＤ１乃至Ｄ４のいずれかをユーザが選択できるようになされている。
【００３７】
図４は、画枠変換部１７に内蔵されている対応表１８の一部を示している。図４に示された例は、出力映像解像度設定画面４１においてHDMI解像度優先に設定され、HDMI I/F１９に接続されたモニタの解像度が４８０ｉ（７２０×４８０ｉ）、モニタのアスペクト比が４：３である場合において、D1/2/3/4切換ボタン２３がＤ１乃至Ｄ４に切り換えられているときのHDMI I/F１９から出力するビデオ信号の解像度と、アナログ系I/F２１のコンポーネント映像端子またはＤ映像端子から出力されるビデオ信号の解像度を示している。この場合、D1/2/3/4切換ボタン２３の設定状態に拘らず、HDMI I/F１９とアナログ系I/F２１の両方から７２０×４８０ｉ（４：３）のビデオ信号が出力される。
【００３８】
対応表１８は、図４に示された例の他、以下の１１通りの場合に対応するものが用意されている。
【００３９】
出力映像解像度設定画面４１においてHDMI解像度優先に設定され、HDMI I/F１９に接続されたモニタの解像度が４８０ｉ（７２０×４８０ｉ）、モニタのアスペクト比が１６：９である場合、D1/2/3/4切換ボタン２３の設定状態に拘らず、HDMI I/F１９とアナログ系I/F２１の両方から７２０×４８０ｉ（１６：９）のビデオ信号が出力される。
【００４０】
出力映像解像度設定画面４１においてHDMI解像度優先に設定され、HDMI I/F１９に接続されたモニタの解像度が４８０ｐ（７２０×４８０ｐ）、モニタのアスペクト比が４：３である場合、D1/2/3/4切換ボタン２３の設定状態がＤ１であるときにはHDMI I/F１９から７２０×４８０ｐ（４：３）のビデオ信号が出力されるが、アナログ系I/F２１からの出力は停止される。D1/2/3/4切換ボタン２３の設定状態がＤ２乃至Ｄ４であるときにはHDMI I/F１９とアナログ系I/F２１の両方から７２０×４８０ｐ（４：３）のビデオ信号が出力される。
【００４１】
出力映像解像度設定画面４１においてHDMI解像度優先に設定され、HDMI I/F１９に接続されたモニタの解像度が４８０ｐ（７２０×４８０ｐ）、モニタのアスペクト比が１６：９である場合、D1/2/3/4切換ボタン２３の設定状態がＤ１であるときにはHDMI I/F１９から７２０×４８０ｐ（１６：９）のビデオ信号が出力されるが、アナログ系I/F２１からの出力は停止される。D1/2/3/4切換ボタン２３の設定状態がＤ２乃至Ｄ４であるときにはHDMI I/F１９とアナログ系I/F２１の両方から７２０×４８０ｐ（１６：９）のビデオ信号が出力される。
【００４２】
出力映像解像度設定画面４１においてHDMI解像度優先に設定され、HDMI I/F１９に接続されたモニタの解像度が１０８０ｉ（１９２０×１０８０ｉ）、モニタのアスペクト比が１６：９である場合、D1/2/3/4切換ボタン２３の設定状態がＤ１またはＤ２であるときにはHDMI I/F１９から１９２０×１０８０ｉ（１６：９）のビデオ信号が出力されるが、アナログ系I/F２１からの出力は停止される。D1/2/3/4切換ボタン２３の設定状態がＤ３またはＤ４であるときにはHDMI I/F１９とアナログ系I/F２１の両方から１９２０×１０８０ｉ（１６：９）のビデオ信号が出力される。
【００４３】
出力映像解像度設定画面４１においてHDMI解像度優先に設定され、HDMI I/F１９に接続されたモニタの解像度が７２０ｐ（１２８０×７２０ｐ）、モニタのアスペクト比が１６：９である場合、D1/2/3/4切換ボタン２３の設定状態がＤ１乃至Ｄ３であるときにはHDMI I/F１９から１２８０×７２０ｐ（１６：９）のビデオ信号が出力されるが、アナログ系I/F２１からの出力は停止される。D1/2/3/4切換ボタン２３の設定状態がＤ４であるときにはHDMI I/F１９とアナログ系I/F２１の両方から１２８０×７２０ｐ（１６：９）のビデオ信号が出力される。
【００４４】
出力映像解像度設定画面４１においてD1/2/3/4設定優先に設定され、HDMI I/F１９に接続されたモニタの解像度が４８０ｉ（７２０×４８０ｉ）、モニタのアスペクト比が４：３である場合、D1/2/3/4切換ボタン２３の設定状態がＤ１であるときにはHDMI I/F１９とアナログ系I/F２１の両方から７２０×４８０ｉのビデオ信号が出力される。D1/2/3/4切換ボタン２３の設定状態がＤ２であるときにはHDMI I/F１９からの出力は停止され、アナログ系I/F２１から７２０×４８０ｐのビデオ信号が出力される。D1/2/3/4切換ボタン２３の設定状態がＤ３であるときにはHDMI I/F１９からの出力は停止され、アナログ系I/F２１から１９２０×１０８０ｉのビデオ信号が出力される。D1/2/3/4切換ボタン２３の設定状態がＤ４であるときにはHDMI I/F１９からの出力は停止され、アナログ系I/F２１から１２８０×７２０ｐのビデオ信号が出力される。
【００４５】
出力映像解像度設定画面４１においてD1/2/3/4設定優先に設定され、HDMI I/F１９に接続されたモニタの解像度が４８０ｉ（７２０×４８０ｉ）、モニタのアスペクト比が１６：９である場合、D1/2/3/4切換ボタン２３の設定状態がＤ１であるときにはHDMI I/F１９とアナログ系I/F２１の両方から７２０×４８０ｉのビデオ信号が出力される。D1/2/3/4切換ボタン２３の設定状態がＤ２であるときにはHDMI I/F１９からの出力は停止され、アナログ系I/F２１から７２０×４８０ｐのビデオ信号が出力される。D1/2/3/4切換ボタン２３の設定状態がＤ３であるときにはHDMI I/F１９からの出力は停止され、アナログ系I/F２１から１９２０×１０８０ｉのビデオ信号が出力される。D1/2/3/4切換ボタン２３の設定状態がＤ４であるときにはHDMI I/F１９からの出力は停止され、アナログ系I/F２１から１２８０×７２０ｐのビデオ信号が出力される。
【００４６】
出力映像解像度設定画面４１においてD1/2/3/4設定優先に設定され、HDMI I/F１９に接続されたモニタの解像度が４８０ｐ（７２０×４８０ｐ）、モニタのアスペクト比が４：３である場合、D1/2/3/4切換ボタン２３の設定状態がＤ１であるときにはHDMI I/F１９からの出力は停止され、アナログ系I/F２１から７２０×４８０ｉのビデオ信号が出力される。D1/2/3/4切換ボタン２３の設定状態がＤ２であるときにはHDMI I/F１９とアナログ系I/F２１の両方から７２０×４８０ｐのビデオ信号が出力される。D1/2/3/4切換ボタン２３の設定状態がＤ３であるときにはHDMI I/F１９からの出力は停止され、アナログ系I/F２１から１９２０×１０８０ｉのビデオ信号が出力される。D1/2/3/4切換ボタン２３の設定状態がＤ４であるときにはHDMI I/F１９からの出力は停止され、アナログ系I/F２１から１２８０×７２０ｐのビデオ信号が出力される。
【００４７】
出力映像解像度設定画面４１においてD1/2/3/4設定優先に設定され、HDMI I/F１９に接続されたモニタの解像度が４８０ｐ（７２０×４８０ｐ）、モニタのアスペクト比が１６：９である場合、D1/2/3/4切換ボタン２３の設定状態がＤ１であるときにはHDMI I/F１９からの出力は停止され、アナログ系I/F２１から７２０×４８０ｉのビデオ信号が出力される。D1/2/3/4切換ボタン２３の設定状態がＤ２であるときにはHDMI I/F１９とアナログ系I/F２１の両方から７２０×４８０ｐのビデオ信号が出力される。D1/2/3/4切換ボタン２３の設定状態がＤ３であるときにはHDMI I/F１９からの出力は停止され、アナログ系I/F２１から１９２０×１０８０ｉのビデオ信号が出力される。D1/2/3/4切換ボタン２３の設定状態がＤ４であるときにはHDMI I/F１９からの出力は停止され、アナログ系I/F２１から１２８０×７２０ｐのビデオ信号が出力される。
【００４８】
出力映像解像度設定画面４１においてD1/2/3/4設定優先に設定され、HDMI I/F１９に接続されたモニタの解像度が１０８０ｉ（１９２０×１０８０ｉ）、モニタのアスペクト比が１６：９である場合、D1/2/3/4切換ボタン２３の設定状態がＤ１であるときにはHDMI I/F１９からの出力は停止され、アナログ系I/F２１から７２０×４８０ｉのビデオ信号が出力される。D1/2/3/4切換ボタン２３の設定状態がＤ２であるときにはHDMI I/F１９からの出力は停止され、アナログ系I/F２１から７２０×４８０ｐのビデオ信号が出力される。D1/2/3/4切換ボタン２３の設定状態がＤ３であるときにはHDMI I/F１９とアナログ系I/F２１の両方から１９２０×１０８０ｉのビデオ信号が出力される。D1/2/3/4切換ボタン２３の設定状態がＤ４であるときにはHDMI I/F１９からの出力は停止され、アナログ系I/F２１から１２８０×７２０ｐのビデオ信号が出力される。
【００４９】
出力映像解像度設定画面４１においてD1/2/3/4設定優先に設定され、HDMI I/F１９に接続されたモニタの解像度が７２０ｐ（１２８０×７２０ｐ）、モニタのアスペクト比が１６：９である場合、D1/2/3/4切換ボタン２３の設定状態がＤ１であるときにはHDMI I/F１９からの出力は停止され、アナログ系I/F２１から７２０×４８０ｉのビデオ信号が出力される。D1/2/3/4切換ボタン２３の設定状態がＤ２であるときにはHDMI I/F１９からの出力は停止され、アナログ系I/F２１から７２０×４８０ｐのビデオ信号が出力される。D1/2/3/4切換ボタン２３の設定状態がＤ３であるときにはHDMI I/F１９からの出力は停止され、アナログ系I/F２１から１９２０×１０８０ｉのビデオ信号が出力される。D1/2/3/4切換ボタン２３の設定状態がＤ４であるときにはHDMI I/F１９とアナログ系I/F２１の両方から１２８０×７２０ｐのビデオ信号が出力される。
【００５０】
次に、画枠変換部１７による解像度決定処理について、図５のフローチャートを参照して説明する。
【００５１】
ステップＳ１においてD1/2/3/4切換ボタン２３は、設定状態（Ｄ１乃至Ｄ４のいずれか）を取得して画枠変換部１７に出力する。ステップＳ２において解像度設定部２２は出力映像解像度設定４１に対するユーザの設定（HDMI解像度優先またはD1/2/3/4設定優先）を取得する。ステップＳ３においてモニタ情報取得部２０は、HDMI I/F１９に接続されているモニタのスペックを取得して画枠変換部１７に出力する。
【００５２】
ステップＳ４において画枠変換部１７は、ステップＳ２およびＳ３の処理で取得したHDMI解像度優先であるかD1/2/3/4設定優先であるか、およびHDMI I/F１９に接続されているモニタのスペック（解像度およびアスペクト比）に基づき、上述した１２通りの対応表１８のいずれを適用するかを決定する。そして、ステップＳ１の処理で取得したD1/2/3/4切換ボタン２３がＤ１乃至Ｄ４のいずれであるかを決定した対応表に照らし合わせてビデオ信号の解像度を決定する。
【００５３】
例えば、HDMI解像度優先に設定されおり、HDMI I/F１９に接続されているモニタの解像度が４８０ｉ（７２０×４８０ｉ）、アスペクト比が４：３である場合、図４に示された対応表の適用が決定される。そして、D1/2/3/4切換ボタン２３がＤ１乃至Ｄ４のいずれに設定されているかに応じて解像度が決定される。以上で、画枠変換部１７による解像度決定処理の説明を終了する。
【００５４】
以上説明したように、本発明を適用した記録再生装置１においては、HDMI I/F１９とアナログ系I/F２１から共通のスペックでビデオ信号を出力するので、解像度等の変換処理に掛かる負荷を減少させることができる。
【００５５】
ところで、上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【００５６】
なお、本明細書において、プログラムに基づいて実行されるステップは、記載された順序に従って時系列的に行われる処理はもちろん、必ずしも時系列的に処理されなくとも、並列的あるいは個別に実行される処理をも含むものである。
【図面の簡単な説明】
【００５７】
【図１】本発明を適用した記録再生装置の構成例を示すブロック図である。
【図２】出力映像解像度設定画面の表示例を示す図である。
【図３】HDMI解像度設定画面の表示例を示す図である。
【図４】図１の画枠変換部に内蔵された対応表の一部を示す図である。
【図５】図１の画枠変換部による解像度決定処理を説明するフローチャートである。
【符号の説明】
【００５８】
１  記録再生装置，  １１  チューナ，  １２  外部入力部，  １３  スイッチ，  １４  CODEC，  １５  ドライブ，  １６  記録メディア，  １７  画枠変換部，  １８  対応表，  １９  HDMI I/F，  ２０  モニタ情報取得部，  ２１  アナログ系I/F，  ２２  解像度設定部，  ２３  D1/2/3/4切換ボタン，  ４１  出力映像解像度設定画面，  ５１  HDMI解像度設定画面
【図１】
0004470810.tif 000002
【図２】
0004470810.tif 000003
【図３】
0004470810.tif 000004
【図４】
0004470810.tif 000005
【図５】
0004470810.tif 000006